(57)【要約】【課題】地上デジタル放送を外部メモリに録画させる際、位置情報等を埋め込むことによって、次回から録画・視聴するのに適した場所を確認できる携帯端末を提供する。【解決手段】この携帯端末は、ＧＰＳ機能により自端末の位置情報を取得する位置情報取得手段と、地上デジタル放送を受信する放送波受信手段と、放送波受信手段により受信した放送波をＳＤ−Ｖｉｄｅｏ規格に準拠した形式で外部メモリへ録画する録画手段と、電波状況を取得する電波状況取得手段と、を備え、録画手段は、放送波受信手段により受信した放送波を録画する際に、位置情報取得手段で録画開始時の位置情報を取り込むとともに、電波状況取得手段で録画開始時の電波状況を取り込んで、ＲＤＩパケットのＣｏｍｐａｎｙＤａｔａフィールドに設定して外部メモリへ記録する。再生するときには、録画した場所および電波状況等を提示するようにした。【選択図】図３
2008283374.tif 000002
【特許請求の範囲】
【請求項１】
ＧＰＳ機能により自端末の位置情報を取得する位置情報取得手段と、地上デジタル放送を受信する放送波受信手段と、前記放送波受信手段により受信した放送波を外部メモリへ録画する録画手段と、を備えた携帯端末であって、前記録画手段は、前記放送波受信手段により受信した放送波を録画する際に、録画を開始するタイミングの位置情報を前記位置情報取得手段で取り込んで放送波の録画と一緒に前記外部メモリへ記録することを特徴とする携帯端末。
【請求項２】
請求項１に記載の携帯端末において、さらに、電波状況を取得する電波状況取得手段を備え、前記録画手段は、前記放送波受信手段により受信した放送波を録画する際に、録画を開始するタイミングの録画時の電波状況を前記電波状況取得手段により取り込んで、前記電波状況を前記位置情報と併せて放送波の録画と一緒に前記外部メモリへ記録することを特徴とする携帯端末。
【請求項３】
請求項１または２に記載の携帯端末において、前記録画手段は、ＳＤ−Ｖｉｄｅｏ規格に準拠した形式で録画するものとし、前記位置情報および前記電波状況をＲＤＩパケットのＣｏｍｐａｎｙＤａｔａフィールドに設定することを特徴とする携帯端末。
【請求項４】
請求項１乃至３のいずれかに記載の携帯端末において、前記位置情報は、北緯（Ｎ）または南緯（Ｓ）、緯度（数値）、東経（Ｅ）または西経（Ｗ）、経度（数値）であることを特徴とする携帯端末。
【請求項５】
請求項２乃至４のいずれかに記載の携帯端末において、前記電波状況は、強、中、弱および圏外のいずれかの電波レベルであることを特徴とする携帯端末。
【請求項６】
請求項２乃至５のいずれかに記載の携帯端末において、各録画されたコンテンツの放送局名と、その録画時の位置情報および電波状況をリスト化し、使用者に提示する録画状況表示手段を備えることを特徴とする携帯端末。
【請求項７】
請求項２乃至５のいずれかに記載の携帯端末において、さらに、前記外部メモリへ録画されたコンテンツを再生する再生手段を備え、前記再生手段は、前記外部メモリ中の指定されたコンテンツを再生する際に、当該コンテンツを録画した場所および電波状況を提示することを特徴とする携帯端末。
【請求項８】
請求項１乃至７のいずれかに記載の携帯端末の各手段としてコンピュータを機能させるためのプログラム。
【請求項９】
コンピュータが読み取り可能な記録媒体であって、請求項８に記載のプログラムを記録したことを特徴とする記録媒体。
【発明の詳細な説明】
【技術分野】
【０００１】
本発明は、携帯端末、プログラムおよび記録媒体に関し、具体的には、ＧＰＳ（Global Positioning Systems）機能と地上デジタル放送の受信機能（ＴＶ機能）を有する携帯端末において、受信した放送波を外部メモリへ録画・再生機能に関する。
【背景技術】
【０００２】
近年、携帯電話では現在位置を特定するためのＧＰＳ機能が搭載されている機器が一般的に利用されている。
また、２０１１年度のアナログ放送中止に伴い、地上デジタル放送の普及が、一般家庭のテレビだけでなく、携帯電話でも一般的に利用されるようになり、それに伴い、リアルタイムでテレビ放送を見ることができない使用者向けに、録画機能を搭載した携帯電話が利用されている。
【発明の開示】
【発明が解決しようとする課題】
【０００３】
しかしながら、携帯電話のＴＶ機能を利用して視聴や録画を行った時、電波状況やアンテナ方向、移動中の場所によって、正常に視聴や録画ができない（例えば、圏外・ブロックノイズ発生・音途切れ発生など）場合がある。
例えば、都心などの電波状況の優れていると思われるところでも、場所によってはビル等が妨害になるなど、正常に視聴や録画が行われない可能性がある。
そのため、使用者にとっては、どの場所で視聴や録画を行えば、正常なコンテンツが見ることができるかが不明である。
【０００４】
この問題点を解決する方法として、外部メモリへＳＤ−Ｖｉｄｅｏ形式で正常に録画できたときの位置情報や電波状況を記録しておき、次回に、それらの情報を参照して録画指示を出すことができる。
【０００５】
現在、静止画（ＪＰＥＧ（Ｅｘｉｆ））機能では、北緯／南緯・東経／西経や、緯度・経度なども含めて、様々なＧＰＳ情報を埋め込むように規定したＥｘｉｆ規格が標準化されている。
しかし、ＴＶ機能で外部メモリに録画させる際のＳＤ−Ｖｉｄｅｏ規格上では、ＧＰＳ情報を埋め込むことができるようなフィールドは規定されておらず、位置情報をコンテンツに埋め込むことができない。
【０００６】
従って、たとえ録画したコンテンツとリンク付けして録画時の位置情報を管理するようなフィールドを携帯電話内に設けたとしても、その外部メモリを別の携帯電話で用いる場合には、リンク先は意味を失ってしまうため、抜本的な解決には至らない。
【０００７】
本発明は、上述のような実情を考慮してなされたものであって、ＴＶ機能でＳＤ−Ｖｉｄｅｏ規格によって外部メモリに録画させる際、ＳＤ−Ｖｉｄｅｏ規格の特定領域に位置情報等を埋め込むことによって、次回から録画・視聴するのに適した場所を確認できる携帯端末、プログラムおよび記録媒体を提供することを目的とする。
【課題を解決するための手段】
【０００８】
上述の課題を解決するために、本発明の携帯端末は次のような構成をとる。
この携帯端末は、ＧＰＳ機能により自端末の位置情報を取得する位置情報取得手段と、地上デジタル放送を受信する放送波受信手段と、前記放送波受信手段により受信した放送波を外部メモリへ録画する録画手段と、電波状況を取得する電波状況取得手段と、を備えており、前記録画手段は、前記放送波受信手段により受信した放送波を録画する際に、前記位置情報取得手段で録画開始時の位置情報を取り込むとともに、前記電波状況取得手段により録画開始時の電波状況を取り込んで、前記電波状況を前記位置情報と併せて放送波の録画と一緒に前記外部メモリへ記録するものである。
また、録画状況表示手段を備え、各録画されたコンテンツの放送局名と、その録画時の位置情報および電波状況をリスト化し、使用者に提示することができる。
【０００９】
前記録画手段は、ＳＤ−Ｖｉｄｅｏ規格に準拠した形式で録画するものとし、前記位置情報（北緯（Ｎ）または南緯（Ｓ）、緯度（数値）、東経（Ｅ）または西経（Ｗ）、経度（数値））および前記電波状況（強、中、弱および圏外のいずれかの電波レベル）をＲＤＩ（Real-time Data Information）パケット（非暗号化エリア）のＣｏｍｐａｎｙＤａｔａフィールドに設定する。また、前記位置情報および前記電波状況を取得できたか否かをＣｏｍｐａｎｙＩＤフィールドに設定する。
【００１０】
また、前記外部メモリへ録画されたコンテンツを再生する再生手段を備えていた場合、前記再生手段では、前記外部メモリ中の指定されたコンテンツを再生する際に、当該コンテンツを録画した場所および電波状況を提示するようにしている。
【００１１】
また、上述した構成の携帯端末の各手段として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１２】
本発明によれば、ＲＤＩパケットの特定領域（「Ｃｏｍｐａｎｙ  ＩＤ」フィールドと、「Ｃｏｍｐａｎｙ  Ｄａｔａ」フィールド）を用いるようにしたことにより、次のような優れた効果がある。
【００１３】
（１）ＴＶ機能を用いて、外部メモリに録画した際、電波レベル（強・中・弱・圏外）と、録画時の位置情報を、同時にコンテンツに設定することができるため、対象コンテンツの再生時、ならびに、次回以降の同一放送局および番組放送を録画する時に、どの場所で録画を行ったものか、どの程度の電波レベルだったのか等を使用者に示すことができるので、使用者側は録画・視聴するのに適した場所を認識することができる。
【００１４】
（２）位置情報および電波レベルを、コンテンツ自身に埋め込んだため、該当外部メモリを用いて、同メーカの別の携帯端末で動作させても、同様な動作を得ることができる。
【発明を実施するための最良の形態】
【００１５】
以下、図面を参照して本発明の携帯端末に係る好適な実施形態について説明する。
【００１６】
現在では、ＳＤ−Ｖｉｄｅｏ形式で外部メモリに録画したコンテンツに対して、規格上、位置情報の設定フィールドや埋め込む手段が存在しない。また、録画したコンテンツとリンク付けし、携帯端末本体で位置情報を管理しても、別の携帯端末にその外部メモリが差し込まれた場合には、コンテンツと位置情報とのリンクが取れなくなってしまう。
そのため、本発明では、コンテンツごとに、ＳＤ−Ｖｉｄｅｏ規格における特定領域に位置情報を埋め込んで外部メモリへ書き込むようにする。
【００１７】
通常、地上デジタル放送を外部メモリに録画する際のデータストリーム構成は、図１に示すように、Ｔｒａｎｓｐｏｒｔ  Ｓｔｒｅａｍ  Ｏｂｊｅｃｔ  Ｄａｔａ  Ｆｉｌｅ（以下、「ＴＯＤ  ｆｉｌｅ」）と呼ばれ、１つ以上のＥＴＳ（Extended Transport Stream）パケット（１パケット：１９２ｂｙｔｅで構成）で構成される。
【００１８】
本発明で利用する、位置情報を設定する特定領域は、ＴＯＤ  ｆｉｌｅ内の最初のＥＴＳパケットであるＲｅａｌ−ｔｉｍｅ  Ｄａｔａ  Ｉｎｆｏｒｍａｔｉｏｎ（以下、「ＲＤＩ」）パケット内に設ける。
このＲＤＩパケットは、ストリームに関する様々な種類の情報（著作権情報など）を運ぶために使用されており、基本的には、ＳＤ−Ｖｉｄｅｏ規格に準拠した各フィールド情報が格納されている。
【００１９】
このＲＤＩパケットのＴｒａｎｓｐｏｒｔ  Ｐａｃｋｅｔ（１８８ｂｙｔｅ）のうち、先頭の９２ｂｙｔｅと後半の３２ｂｙｔｅの規格領域以外の「Ｃｏｍｐａｎｙ  ＩＤ：４ｂｙｔｅ」と「Ｃｏｍｐａｎｙ  Ｄａｔａ：６０ｂｙｔｅ」は、各メーカが固有に設定することができるフィールド（言い換えると、各メーカが自由に設定可能なエリア）として規定されている。
また、ＲＤＩパケットは非暗号化パケットであるため、このパケット内のデータは設定時および参照時には復号処理する必要が無いという処理パフォーマンスの利点がある。
【００２０】
本発明では、ＴＶ機能を用いて、地上デジタル放送を受信して外部メモリへ録画をする際に、ＧＰＳ機能を用いて取得した位置情報とこのときの電波状況（強、中、弱、圏外等の電波レベル）とを、上述した「Ｃｏｍｐａｎｙ  ＩＤ」と「Ｃｏｍｐａｎｙ  Ｄａｔａ」のフィールドに設定するものとして説明する（図２参照）。
また、外部メモリに録画された放送を再生あるいは録画されたときの位置情報等を参照するときには、上記のフィールドから使用者へ提示して、録画や視聴するときに適した場所を確認させることができる。
【００２１】
以下、実施形態に係る携帯端末として、ＴＶ（地上デジタル放送のワンセグ放送）機能、放送波の録画・再生機能およびＧＰＳ機能を搭載した携帯電話を例にして説明するが、これに限るものではなく、ＴＶ機能、録画・再生機能およびＧＰＳ機能を搭載したＰＤＡ（Personal Digital Assistant）や携帯型ＰＣ（Personal Computer）であっても容易に適用できる。
【００２２】
図３は、本実施形態に係る携帯端末の機能構成を示すブロック図であり、同図において、携帯端末１は、制御部１１、操作部１２、表示部１３、記憶部１４、スピーカ１５、放送波受信部１６、放送処理部１７、録画部１８、再生部１９、位置情報取得部２０、電波状況取得部２１、録画状況表示部２２を含んで備えている。
【００２３】
制御部１１は、携帯端末１の各部を制御する。
操作部１２は、数字キーや各種機能キーからなり、これらのキー押下を利用者の操作により受付けると、受付けたキー操作に応じて放送番組の受信、録画、再生などを示す信号を制御部１１に送出する。
表示部１３は、液晶パネルからなり、受信する放送番組の映像、携帯端末１で実行可能なメニューなどの画像を制御部１１の指示に応じて表示する。
記憶部１４は、本体内部に備えたメモリに加えて、外部から差し込まれるメモリをも総称したものであり、一般的な不揮発性メモリやハードディスクである。記憶部１４は、携帯端末１を動作させるプログラムや各種データを、さらに、録画された放送番組を格納する。
スピーカ１５は、放送や電話機能での音声データを出力する。
【００２４】
放送波受信部１６は、放送基地局から送信された放送波を受信し、受信した放送波を放送処理部１７および録画部１８に出力する。
放送処理部１７は、受信した放送波を復調して復号した映像データを表示部１３や、音声データをスピーカ１５へ出力する。
【００２５】
位置情報取得部２０は、ＧＰＳ衛星から受信するＧＰＳ信号から、携帯端末１が存在する現在の位置情報（緯度、経度、標高）および時刻情報等を取得して出力する。
電波状況取得部２１は、放送波の電界強度に基づき、電波状況（強、中、弱、圏外の電波レベル）を決定して出力する。
【００２６】
録画部１８は、受信した放送波をＳＤ−Ｖｉｄｅｏ形式で記憶部１４に録画する。
ここで、録画部１８は、使用者によりＴＶ機能が開始され、録画開始指示を契機として、録画準備に移行する。
録画準備状態において、（１）携帯端末１の現在の位置情報、（２）放送波の電波状況を取得して、先に説明したＲＤＩパケットの特定領域（「ＣｏｍｐａｎｙＤａｔａ」フィールド）に設定する。
【００２７】
位置情報は、位置情報取得部２０を起動して取得し、緯度および経度情報を次のような形式に文字化する。
・緯度については、北緯と南緯の区別をそれぞれ文字（Ｎ）と文字（Ｓ）とし、緯度（数値）を２桁の数字（０°から９０°）に変換する。
・経度については、東経と西経の区別をそれぞれ文字（Ｅ）と文字（Ｗ）とし、経度（数値）を３桁の数字（０°から１８０°）に変換する。
【００２８】
電波状況は、電波状況取得部２１を起動し、放送波の電界強度を文字「強」、「中」、「弱」、「圏外」のいずれかの電波レベルに変換する。
【００２９】
録画準備状態において、上記のようにして取得した各文字を次の順序にならべて、ＲＤＩパケットの「ＣｏｍｐａｎｙＤａｔａ」フィールドに設定する。
【００３０】
（１）緯度の区別（１ｂｙｔｅ）、
（２）緯度の数値（２ｂｙｔｅ）、
（３）経度の区別（１ｂｙｔｅ）、
（４）経度の数値（３ｂｙｔｅ）、
（５）電波レベル（４ｂｙｔｅ）。
【００３１】
次に、録画部１８は、準備段階が終わると、ＲＤＩパケットおよび続いて受信するＥＴＳパケットを順次ＳＤ−Ｖｉｄｅｏ形式で記憶部１４へ記録していく。この過程は通常の録画動作と同じである。
尚、上記では、「ＣｏｍｐａｎｙＤａｔａ」フィールドに文字列として、位置情報と電波レベルを設定したが、それぞれをビットコード化して設定するようにしてもよい。
【００３２】
図４のフローチャートを用いて、録画部１８の動作を説明する。
使用者により、ＴＶ機能の開始が行われた後（ステップＳ１０１）、使用者より録画開始指示を契機として、録画準備状態に移行する（ステップＳ１０２）。
録画準備状態に入ると、位置情報取得部２０を呼び出して、位置情報を取得する（ステップＳ１０３）。
【００３３】
位置情報内に緯度が設定されていた場合（ステップＳ１０４／ＹＥＳ）、北緯（Ｎ）または南緯（Ｓ）の区別と緯度の数値をそれぞれコード化する（ステップＳ１０５）。
【００３４】
次に、位置情報内に経度が設定されていた場合（ステップＳ１０６／ＹＥＳ）、東経（Ｅ）または西経（Ｗ）の区別と経度の数値をそれぞれコード化する（ステップＳ１０７）。
【００３５】
さらに、電波状況取得部２１を呼び出して、コード化された電波レベルを取得する（ステップＳ１０８）。
コード化された緯度、経度、電波レベルをＲＤＩパケットの「ＣｏｍｐａｎｙＤａｔａ」フィールドに設定する（ステップＳ１０９）。
位置情報と電波レベルを取得できたことを示す有効フラグ（０ｘ０００１）をＲＤＩパケットの「ＣｏｍｐａｎｙＩＤ」フィールドに設定し（ステップＳ１１０）、ステップＳ１１２へ進む。
【００３６】
一方、位置情報に緯度あるいは経度が設定されていなかった場合には（ステップＳ１０４／ＮＯ，Ｓ１０６／ＮＯ）、位置情報（緯度あるいは経度）および電波レベルを取得できなかったことを示す無効フラグ（０ｘ００００）をＲＤＩパケットの「ＣｏｍｐａｎｙＩＤ」フィールドに設定し（ステップＳ１１１）、ステップＳ１１２へ進む。
【００３７】
録画準備状態を終えて、ＲＤＩパケットおよびそれに続くＥＴＳパケットを記憶部１４に書き込んでから録画を継続し、使用者より指示される録画停止を契機として、録画を終了する（ステップＳ１１２）。
【００３８】
次に、録画状況表示部２２は、使用者が操作部１２を操作して呼び出されると、記憶部１４（外部メモリ）に録画済みとなっているすべてのコンテンツに対して、ＲＤＩパケットを参照して、位置情報と電波状況を取得し、これらの位置情報と電波状況が記録されているコンテンツについてのみ、番組名、放送局名とを取得して、コンテンツ名、放送局名、位置情報（緯度、経度）、電波状況（電波レベル）とからなるリストを表示部１３に一覧表示使用者側に提示する。ここで、位置情報と電波状況は、それらが文字コード化されている場合にはそのまま表示し、それらがビットコード化されていれば、文字コードに変換してから表示する。また、コンテンツの放送局名や番組名は、記憶部１４（外部メモリ）のディレクトリ（ROOT\SD-Video\PRGxxx\  （xxxは、001〜FFF[16進]で記述））に存在するPRGxxx.PGIファイルに格納されているＰＲＧ＿ＩＮＦＯ（Program Information File）内のＰＲＧ＿ＥＸＴ（Program Extra Data）フィールドから取得する。
使用者は、このリストを参考にして、所望の放送番組を視聴あるいは録画する場所を決定して、その場所で視聴あるいは録画を実行させる。
【００３９】
図５のフローチャートを用いて、録画状況表示部２２の動作を説明する。
記憶部（外部メモリ）１４内に既に録画されているＳＤ−Ｖｉｄｅｏ形式のコンテンツ数を検索し、検出されたすべてのコンテンツをリスト対象としておき、リスト対象となっているコンテンツの探索がすべて終わるまで、次の処理を繰り返す（ステップＳ２０１／ＮＯ）。
【００４０】
まず、コンテンツのＲＤＩパケット内の「ＣｏｍｐａｎｙＩＤ」フィールドが有効フラグであれば（ステップＳ２０２／ＹＥＳ）、「ＣｏｍｐａｎｙＤａｔａ」フィールドから位置情報（北緯／南緯の区分、緯度数、東経／西の区分、経度数）を取得する（ステップＳ２０３）。
【００４１】
次に、ＲＤＩパケット内の「ＣｏｍｐａｎｙＤａｔａ」フィールドから電波状況（強／中／弱／圏外の電波レベル）を取得する（ステップＳ２０５）。
さらに、このコンテンツのＰＲＧ＿ＩＮＦＯのＰＲＧ＿ＥＸＴフィールドから放送局名と番組名を取得する（ステップＳ２０５）。
【００４２】
一方、コンテンツのＲＤＩパケット内の「ＣｏｍｐａｎｙＩＤ」フィールドが無効フラグである場合には（ステップＳ２０２／ＮＯ）、取得対象となる位置情報や電波状況が入っていないとみなし、このコンテンツをリストの対象から外し、次の録画コンテンツを探すためにステップＳ２０１へ戻る。
【００４３】
そして、すべてのコンテンツの探索が終了すると（ステップＳ２０１／ＹＥＳ）、位置情報や電波状況を取得できたコンテンツに対して、位置情報（北緯／南緯の区分、緯度数、東経／西の区分、経度数）、電波状況（強／中／弱／圏外の電波レベル）、放送局名、番組名をリスト化する（ステップＳ２０６）。放送局名や番組名は、記憶部１４のＰＲＧ＿ＩＮＦＯ内のＰＲＧ＿ＥＸＴフィールドから取得する。
このリストを表示部１３に表示する（ステップＳ２０７）。
【００４４】
再生部１９は、記憶部１４に録画されているＳＤ−Ｖｉｄｅｏ形式のコンテンツの中から、使用者に指定されたコンテンツを再生する。
ここで、再生部１９は、使用者により再生機能が開始され、使用者から再生すべきコンテンツが記憶部１４の中から指定され、再生開始指示を契機として再生準備に移行する。
再生準備状態において、指定されたコンテンツのＲＤＩパケットの特定領域（「ＣｏｍｐａｎｙＤａｔａ」フィールド）から位置情報、放送波の電波状況を取得して、当該コンテンツの放送局名、番組名とともに表示する。このコンテンツの放送局名や番組名は、記憶部１４のＰＲＧ＿ＩＮＦＯ内のＰＲＧ＿ＥＸＴフィールドから取得する。
再生部１９は、この再生準備状態が終了すると、当該コンテンツを再生する。
【００４５】
図６のフローチャートを用いて、再生部１９の動作を説明する。
使用者により、再生機能の開始が行われた後、使用者より再生するコンテンツが指定されて再生開始指示を契機として、再生準備状態に移行する（ステップＳ３０１）。
再生準備状態に入ると、指定されたコンテンツのＲＤＩパケット内の「ＣｏｍｐａｎｙＩＤ」フィールドが有効フラグであれば（ステップＳ３０２／ＹＥＳ）、「ＣｏｍｐａｎｙＤａｔａ」フィールドから位置情報（北緯／南緯の区分、緯度数、東経／西の区分、経度数）を取得する（ステップＳ３０３）。
【００４６】
次に、ＲＤＩパケット内の「ＣｏｍｐａｎｙＤａｔａ」フィールドから電波状況（強／中／弱／圏外の電波レベル）を取得する（ステップＳ３０４）。
さらに、このコンテンツのＰＲＧ＿ＩＮＦＯのＰＲＧ＿ＥＸＴフィールドから放送局名と番組名を取得する（ステップＳ３０５）。
そして、位置情報（北緯／南緯の区分、緯度数、東経／西の区分、経度数）、電波状況（強／中／弱／圏外の電波レベル）、放送局名、番組名を表示部１３に表示してから（ステップＳ３０６）、指定されたコンテンツを再生する（ステップＳ３０７）。
【００４７】
一方、指定されたコンテンツのＲＤＩパケット内の「ＣｏｍｐａｎｙＩＤ」フィールドが無効フラグの場合には（ステップＳ３０２／ＮＯ）、取得対象となる位置情報や電波状況が入っていないとみなし、このコンテンツを再生する（ステップＳ３０７）。
【００４８】
尚、本発明は上述した実施形態に限定されず、本発明の要旨を逸脱しない範囲内で各種の変形、修正が可能であるのは勿論である。例えば、コンピュータを、実施形態を構成する携帯端末の各部として機能させるプログラムを作成し、予め記録媒体に書き込んでおき、この記録媒体に記録されたこれらのプログラムを当該端末に備えられたメモリあるいは記憶装置に格納し、そのプログラムをＣＰＵ（central processing unit）を用いて実行することによって、本発明の目的が達成されることは言うまでもない。
【００４９】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００５０】
尚、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。
【００５１】
あるいは、通信ネットワークや放送波を介して記憶装置に格納された上記プログラムをサーバコンピュータから直接供給を受けるようにしてもよい。この場合、このサーバコンピュータの記憶装置も本発明の記録媒体に含まれる。
【００５２】
このように、上述した実施形態の機能をプログラム化して流通させることによって、コストの低廉化、および可搬性や汎用性を向上させることができる。
【産業上の利用可能性】
【００５３】
本発明は、地上デジタル放送を受信する機能と、受信した地上デジタル放送を録画する機能と、ＧＰＳ機能とを備える任意の携帯機器全般に適用することができる。
【図面の簡単な説明】
【００５４】
【図１】ＳＤ−Ｖｉｄｅｏ形式のデータ構造である。
【図２】本実施形態に係る携帯端末の利用形態である。
【図３】本実施形態に係る携帯端末の構成を示すブロック図である。
【図４】録画部の動作を説明するフローチャートである。
【図５】録画状況表示部の動作を説明するフローチャートである。
【図６】再生部の動作を説明するフローチャートである。
【符号の説明】
【００５５】
１…携帯端末、１１…制御部、１２…操作部、１３…表示部、１４…記憶部、１５…スピーカ、１６…放送波受信部、１７…放送処理部、１８…録画部、１９…再生部、２０…位置情報取得部、２１…電波状況取得部、２２…録画状況表示部。
【図１】
2008283374.tif 000003
【図２】
2008283374.tif 000004
【図３】
2008283374.tif 000005
【図４】
2008283374.tif 000006
【図５】
2008283374.tif 000007
【図６】
2008283374.tif 000008